(57)【特許請求の範囲】
【請求項１】
遊技機の裏側には、球を案内する球誘導経路が形成されるとともに、その球誘導経路が分岐部において賞球経路と球抜き経路とに分岐され、
前記分岐部には、前記球誘導経路を前記賞球経路に連通させる第１切換位置と、前記球誘導経路を前記球抜き経路に連通させる第２切換位置とに配置切換可能に切換弁が設けられるとともに、前記切換弁を前記第１・第２の各切換位置に配置切換するための手動操作手段が配設され、
前記手動操作手段は、前記遊技機の少なくとも主制御装置に対する電源用のスイッチをオン、オフ操作可能に同スイッチに連繋され、前記手動操作手段によって前記電源用のスイッチをオフにするとともに、前記切換弁を第２切換位置に配置可能にする構成にしてある遊技機。
【請求項２】
請求項１に記載の遊技機であって、手動操作手段は、手動操作部と、電源用のスイッチをオン、オフ操作可能に同スイッチの作動子に連繋されたスイッチ係合部とを備え、かつ前記手動操作部及び前記スイッチ係合部は、切換弁にそれぞれ一体状に設けられている遊技機。
【請求項３】
請求項１に記載の遊技機であって、手動操作手段は、切換弁と電源用のスイッチとの間において設けられ、かつ第１・第２の各操作位置に配置切換される手動操作具によって構成され、
前記手動操作具には、前記切換弁に係合する弁係合部と、前記スイッチの作動子に係合するスイッチ係合部とがそれぞれ形成され、
前記手動操作具が第１操作位置に配置されたときは、前記スイッチをオンにし、かつ前記切換弁を第１切換位置に配置可能にし、
前記手動操作具が第２操作位置に配置されたときには、前記スイッチをオフにし、かつ前記切換弁を第２切換位置に配置可能にする構成にしてある遊技機。
【発明の詳細な説明】
【０００１】
【発明の属する技術分野】
この発明は、球誘導経路が分岐部において賞球経路と球抜き経路とに分岐され、その分岐部に切換弁が設けられた遊技機に関する。
【０００２】
【従来の技術】
従来、球誘導経路が分岐部において賞球経路と球抜き経路とに分岐され、その分岐部に切換弁が設けられた遊技機（主としてパチンコ機）は、例えば、特開平６−２７７３４８号公報に開示されている。
この種の遊技機において、その裏側には、球タンクに貯留された球を案内する球誘導経路が形成されている。球誘導経路の下流側には、賞球経路と球抜き経路とが分岐されて形成されている。
賞球経路と球抜き経路との分岐部には、遊技機の主制御装置（メイン制御基板とも呼ばれている）によって制御される球抜き用のソレノイドを駆動源として第１・第２の切換位置に配置切換される切換弁が設けられている。
【０００３】
また、遊技機の裏面側の所定位置には、主制御装置に電気的に接続された球抜きスイッチが配設されている。この球抜きスイッチをオンにする球抜き棒が挿通される球抜き用孔が遊技機の前側の所定位置に開口して形成されている。
また、遊技機の所定位置（通常、遊技機の裏面側）には、１つの電源スイッチが配設され、その電源スイッチがオン、オフ操作されることで、遊技機の各種の電装機器（球抜き用のソレノイドも含む）、及びこれらを制御する各種の制御装置（主制御装置も含む）に対し電力が供給されたり、遮断されるようになっている。
【０００４】
【発明が解決しようとする課題】
ところで、前記したような球抜き構造をもつ従来の遊技機において、遊技機の保守、点検時等の際、遊技機内の球を機外に排出する球抜きを行う場合、電源スイッチがオンの状態に保たれる。
電源スイッチがオンの状態において、遊技機の前側から球抜き棒が球抜き孔に挿入され、その球抜き棒によって球抜きスイッチがオンにされる。球抜きスイッチのオンの球抜き信号を受けた主制御装置から出力される球抜きの制御信号によって球抜き用のソレノイドが作動（励磁）され、切換弁が第２切換位置に配置切換される。これによって、球誘導経路が球抜き経路に連通され、球タンクに貯留された球が球誘導経路及び球抜き経路を経て機外に排出される。
このため、従来では、遊技に関係しない球抜き動作時においても、遊技機の各種の電装機器（球抜き用のソレノイドも含む）、及びこれらを制御する各種の制御装置（主制御装置も含む）に対し電力が供給されるため、無駄な電力が消費されていた。
【０００５】
この発明の目的は、前記従来の問題点に鑑み、遊技機の少なくとも主制御装置に対する電源用のスイッチを手動操作手段によってオン、オフにすると略同時に、切換弁を、第１、第２の各切換位置に配置可能にすることができ、球抜き動作時の消費電力を節減することができるとともに、球抜き用のソレノイドを用いる必要性を解消してコスト低減を図ることができる遊技機を提供することである。
【０００６】
【課題を解決するための手段】
前記目的を達成するために、第１の発明は、請求項１に記載のとおりの構成を要旨とする。
したがって、パチンコ遊技に関係しない球抜き動作時には、手動操作手段によって、少なくとも主制御装置に対する電源用のスイッチをオフにするとともに、切換弁を第２切換位置に配置切換可能にする。
このため、パチンコ遊技に関係しない球抜き動作時には、少なくとも、主制御装置において、電力が供給されて消費されることがない。
【０００７】
また、第２の発明は、請求項２に記載のとおりの構成を要旨とする。
したがって、切換弁に対し手動操作部及びスイッチ係合部が一体状に形成されているため、部品点数や組付工数の増加を抑えて、コスト低減を図ることができる。
【０００８】
第３の発明は、請求項３に記載のとおりの構成を要旨とする。
したがって、手動操作具が第１操作位置に配置されることで、その手動操作具のスイッチ係合部によってスイッチがオンにされるとともに、手動操作具の弁係合部が第１切換位置にある切換弁に係合して、その切換弁を第１切換位置にロックすることができる。
また、手動操作具が第２操作位置に配置されることで、その手動操作具のスイッチ係合部によってスイッチがオフにされるとともに、切換弁が第２切換位置に配置可能となる。
【０００９】
【発明の実施の形態】
（実施の形態１）
この発明の実施の形態１を図１〜図５にしたがって説明する。
遊技機としてのパチンコ機１を背面側から表した図５において、パチンコ機１は、その木枠２の前側に前枠３が開閉可能に装着されている。前枠３の裏面には、その開口部の周縁部においてベース枠５が組み付けられている。ベース枠５の枠内には、遊技盤８が着脱可能に装着され、遊技盤８には、一般入賞口、特定入賞口、ゲート口等を有する役物装置や表示装置等が配設されている。さらに、遊技盤８の裏面側には、収納ボックス９に収納された状態で主制御装置（メイン制御基板とも呼ばれている）９ａが配設されている。
【００１０】
遊技盤８の裏面側には、主制御装置９ａを取り囲むようにして裏機構板（裏セット板とも呼ばれている）１０が装着されている。裏機構板１０の裏面側には、その上部から下部に向けて球タンク１３、誘導樋（タンクレールとも呼ばれている）１４、球経路構成体２０が順次に連通して配設されている。
球経路構成体２０は、その裏面側を覆うようにして球経路カバー体２１が被せられている（図２参照）。
【００１１】
球経路構成体２０には、球誘導樋１４の球通路１５の下流側に連通して球を案内する球誘導経路２２が形成されている。
図１に示すように、球誘導経路２２の下流側には、横向き（図１に向かって右向き）に曲げられた通路部を分岐部２３として、賞球経路２４と球抜き経路３３とが左右に分岐されて形成されている。
なお、球誘導樋１４の球通路１５、球経路構成体２０の球誘導経路２２、賞球経路２４及び球抜き経路３３は、前後複数列に形成される場合や、単列に形成される場合がある。
【００１２】
図１に向かって左側に形成された賞球経路２４の途中には、球払出装置２５が装着されている。この球払出装置２５は、賞球経路２４の途中に形成された回転体収納室２６に装着されかつ球払出用モータ（図示しない）を駆動源として回転駆動される回転供給体２７を主体として構成されている。そして、主制御装置９ａから出力される球払出信号によって球払出用モータが作動し、回転供給体２７が所要量だけ回転される。これによって、回転供給体２７の上流側に位置する球Ｂが回転供給体２７を通して下流側に払い出され、上皿用球経路２９の上皿用球放出口３０を通して上皿に払い出されるようになっている（図５参照）。
【００１３】
賞球経路２４と球抜き経路３３との分岐部２３には、球誘導経路２２を賞球経路２４に連通させる第１切換位置と、球誘導経路２２を球抜き経路３３に連通させる第２切換位置とに配置切換される切換弁４１が設けられている。
この実施の形態１において、図１と図２に示すように、賞球経路２４と球抜き経路３３との分岐部２３には、その上側壁部分が切除されて開口部が形成されている。この開口部には切換弁４１が、その上部の片側寄りに位置する軸４０を中心として回動可能に組み付けらるとともに、自重によって第１切換位置に向けて回動するようになっている。
【００１４】
また、切換弁４１の下側面には球Ｂを賞球経路２４又は球抜き経路３３に案内するための略円弧状の案内面４２が形成されている。
そして、図１に示すように、切換弁４１が第１切換位置に配置されたときには、その切換弁４１の案内面４２によって球誘導経路２２が賞球経路２４に連通され、図３に示すように、切換弁４１が第２切換位置に配置切換されたたときには、その切換弁４１の案内面４２によって球誘導経路２２が分岐部２３を通して球抜き経路３３の連通するようになっている。
【００１５】
また、裏機構板１０には、図５に向かって上部右端部において、パチンコ機１の主電源スイッチ６０が装着されている。この電源スイッチ６０がオン、オフ操作されることで、パチンコ機１の各種の電装機器（ランプ類、モータ類、ソレノイド類）、及びこれらを制御する各種の制御装置（主制御装置９ａ、枠制御装置、球発射制御装置等）に対し電力が供給されたり、遮断されるようになっている。
また、球経路構成体２０には、切換弁４１の近傍に位置して主制御装置９ａに対する電源用のスイッチ６５が装着されている。
【００１６】
主制御装置９ａに対する電源用のスイッチ６５及び切換弁４１は、手動操作手段によって手動操作可能に構成されている。
この実施の形態１において、図１と図２に示すように、手動操作手段は、手動操作部５２と、スイッチ係合部５３とを備えている。これら手動操作部５２及びスイッチ係合部５３は、切換弁４１にそれぞれ一体に形成されている。
すなわち、図１と図２に示すように、手動操作部５２は、切換弁４１の略中央部において、軸状をなして一体に突設され、その手動操作部５２の先端部が、球経路カバー体２１の裏面側に手動操作可能に露出している。なお、球経路カバー体２１には、手動操作部５２を移動案内する切換案内孔８０が切換弁４１の軸４０を中心とする円弧状に貫設されている。
【００１７】
また、スイッチ係合部５３は、切換弁４１の上部に一体に形成されている。このスイッチ係合部５３は、スイッチ６５の作動子６６が係脱可能に嵌挿される係合凹部５６を隔てて上下に対向する第１係合部５４と第２係合部５５とを備えている。
そして、図１に示すように、切換弁４１が第１切換位置に配置された状態にあるときには、スイッチ係合部５３の係合凹部５６にスイッチ６５の作動子６６が係合し、スイッチ６５がオンの状態に保たれる。
また、手動操作部５２が、図１に向かって反時計方向に、軸４０を中心として回動操作されることによって、スイッチ６５がオフされ、引き続いて切換弁４１が、図３に示すように、第２切換位置に配置切換されるようになっている。
【００１８】
図１と図２に示すように、球経路構成体２０には、切換弁４１の上方に位置し、かつ切換弁４１を第１切換位置に係脱可能にロックするためのロック部材７０が配設されている。このロック部材７０は、その上端部において軸７５を中心として回動可能に設けられ、その下端部には、切換弁４１の上端面に係脱可能に係合して切換弁４１を第１切換位置にロックするロック部７６が形成されている。さらに、ロック部材７０のロック部７６には、同ロック部材７０をロック解除するロック解除操作部７１が一体に突設されている。このロック解除操作部７１の先端部は、球経路カバー体２１の裏面側に手動操作可能に露出している。
なお、球経路カバー体２１には、ロック解除操作部７１を移動案内するロック案内孔８１がロック部材７０の軸７５を中心とする円弧状に貫設されている。
【００１９】
この実施の形態１は、上述したように構成される。したがって、パチンコ機１の主電源スイッチ６０がオンの状態にあり、図１に示すように、切換弁４１が第１切換位置に配置されて、主制御装置９ａに対する電源用のスイッチ６５がオンにされた状態において、パチンコ遊技が行われる。
【００２０】
パチンコ遊技の際、その遊技盤の各種の入賞口に球Ｂが入ると、その球Ｂの入賞にともなって主制御装置９ａから出力される球払出信号によって球払出用モータが作動し、回転供給体２７が所要量だけ回転される。
これによって、賞球経路２４において、回転供給体２７の上流側に位置する球Ｂが回転供給体２７を通して下流側に払い出され、上皿用球経路２９の上皿用球放出口３０を通して上皿に払い出される。また、上皿が満杯となったときには、球Ｂは、下皿用球経路３１を経て下皿用球放出口３２から下皿に払い出される（図５参照）。
前記したように、球Ｂの払い出しによって、球タンク１３に貯留されている球Ｂは、球誘導樋１４の球通路１５、球経路構成体２０の球誘導経路２２を順に経て賞球経路２４の回転供給体２７に向けて流れる。
【００２１】
パチンコ機１の保守、点検時等の際、パチンコ機１内の球Ｂ、主として球タンク１３に溜められた球Ｂを機外に排出する球抜きを行う場合、まず、木枠２に対し前枠３が前側に開かれる。
この状態において、ロック部材７０のロック解除操作部７１及び切換弁４１の手動操作部５２が手動操作可能となる。
ここで、ロック部材７０が、そのロック解除操作部７１において図１に向かって反時計方向に、軸７５を中心として回動操作されることによって、図３に示すように、切換弁４１に対するロックが解除される。
【００２２】
その後、図３に示すように、手動操作部５２が反時計方向に、軸４０を中心として回動操作される。すると、切換弁４１の第１係合部５４が主制御装置９ａに対する電源用のスイッチ６５の作動子６６に当接しながら、その作動子６６を押し上げる。これによって、スイッチ６５がオフにされる。引き続いて、切換弁４１が第２切換位置に配置切換される。
すると、球経路構成体２０の球誘導経路２２が分岐部２３を介して球抜き経路３３に連通される。これによって、球タンク１３に貯留されている球Ｂは、球誘導樋１４の球通路１５、球経路構成体２０の球誘導経路２２及び分岐部２３を順に経て球抜き経路３３に流れ、その球抜き経路３３の下流端の球抜き排出口より機外に排出される。
【００２３】
前記したように、パチンコ遊技に関係しない球抜き動作時には、手動操作部５２によって、切換弁４１が第２切換位置に配置切換されると略同時に主制御装置９ａに対する電源用のスイッチ６５がオフにされる。
したがって、パチンコ遊技に関係しない球抜き動作時には、主制御装置９ａにおいて、電力が供給されて消費されることがない。このため、従来と異なり、球抜き動作時の消費電力を節減することができるとともに、球抜き用のソレノイドを用いる必要性を解消してコスト低減を図ることができる。
また、球抜き用のソレノイドのスイッチに対する球抜き用孔を前枠３の前面に開口して形成する必要性もないため、前枠３の前面が球抜き用孔によって見栄えが悪化する等の不具合も解消される。
【００２４】
また、この実施の形態１において、手動操作部５２によって、主制御装置９ａに対する電源用のスイッチ６５がオフにされた後、手動操作部５２に対する操作が解放される。すると、球タンク１３、球誘導樋１４の球通路１５、球誘導経路２２及び分岐部２３に流れる球Ｂは、その流圧によって切換弁４１を第２切換位置に向けて回動させながら、その切換弁４１を通過して球抜き経路３３に流れる。
そして、球タンク１３、球誘導樋１４の球通路１５、球誘導経路２２及び分岐部２３に流れる球Ｂが全て球抜き経路３３に流れると、図４に示すように、切換弁４１は、同切換弁４１の第２係合部５５がスイッチ６５の作動子６６に当接する位置まで自重によって時計方向に回動する。
【００２５】
球抜き完了後、手動操作部５２が図４に向かって時計方向に回動することで、切換弁４１の第２係合部５５が主制御装置９ａに対する電源用のスイッチ６５の作動子６６に当接しながら、その作動子６６を押し下げる。これによって、スイッチ６５がオンにされると略同時に切換弁４１が元の第１切換位置に配置切換される。
ここで、ロック部材７０を、そのロック解除操作部７１において、元のロック位置に回動操作することによって、切換弁４１を第１切換位置にロックする。これによって、切換弁４１が第１切換位置から第２切換位置に向けて不測に回動する不具合が解消される。
【００２６】
また、この実施の形態１において、切換弁４１に対し手動操作部５２及びスイッチ係合部５３がそれぞれ一体に形成されているため、部品点数や組付工数が増加することがなく、この分だけコスト低減を図ることができる。
なお、前記実施の形態１においては、ロック部材７０によって切換弁４１を第１切換位置にロック及びロック解除可能に構成したが、ロック部材７０は必ずしも設けなくてもよい。例えば、球経路カバー体２１に対し手動操作部５２を切換弁４１の第１・第２の各切換位置に対応する位置においてそれぞれバネ等の付勢手段やねじ等の締付手段によって保持することで、ロック部材７０を省くことができる。
【００２７】
（実施の形態２）
次に、この発明の実施の形態２を図６〜図８にしたがって説明する。
この実施の形態２において、図６と図７に示すように、球経路構成体２０に形成された賞球経路２４と球抜き経路３３との分岐部２３には、実施の形態１と略同様にして、球誘導経路２２を賞球経路２４に連通させる第１切換位置と、球誘導経路２２を球抜き経路３３に連通させる第２切換位置とに配置切換される切換弁１４１が、軸１４０を中心として回動可能に、かつ自重によって第１切換位置に向けて回動するように装着されている。また、切換弁１４１の下側面には球Ｂを賞球経路２４又は球抜き経路３３に案内するための略円弧状の案内面１４２が形成されている。
【００２８】
また、球経路構成体２０には、切換弁４１の上方に所定の間隔を隔てて主制御装置９ａに対する電源用のスイッチ６５が、その作動子６６を下向きにして装着されている。
主制御装置９ａに対する電源用のスイッチ６５をオン、オフにし、かつ切換弁１４１を第１・第２の各切換位置に配置切換するための手動操作手段は、切換弁４１とスイッチ６５との間に装着された手動操作具１５１によって構成されている。
【００２９】
図６と図７に示すように、手動操作具１５１は、手動操作部１５２と、スイッチ係合部１５３及び弁係合部１７０を一体に備え、その手動操作部１５２において第１第２の各操作位置にスライド操作されるようになっている。
手動操作部１５２は、手動操作具１５１の本体部の略中央部において、後方に向けて角軸状に突出されている。この手動操作部１５２は、球経路カバー体２１に貫設された左右方向に長い角孔の切換案内孔１８０に沿って左右方向にスライド可能に嵌挿され、その先端部が手動操作可能に球経路カバー体２１の後面から露出している。
【００３０】
また、スイッチ係合部１５３は、手動操作具１５１の本体部の上部に形成され、かつスイッチ６５の作動子６６に嵌挿される係合凹部１５６を隔てて左右に対向する第１係合部１５４と第２係合部１５５とを備えている。
また、弁係合部１７０は、手動操作具１５１の本体部の下部に突設され、切換弁１４１の上面と係脱可能に係合して同切換弁１４１を第１切換位置にロックするようになっている。
【００３１】
すなわち、図６に示すように、手動操作具１５１の手動操作部１５２が切換案内孔１８０の一端部に当接する第１操作位置に配置されたときには、主制御装置９ａに対する電源用のスイッチ６５をオンにするとともに、その弁係合部１７０が第１切換位置にある切換弁１４１の上面に係合して、切換弁１４１を第１切換位置にロックする。
また、図８に示すように、手動操作具１５１の手動操作部１５２が切換案内孔１８０の他端部に当接する第２操作位置に配置されたときには、主制御装置９ａに対する電源用のスイッチ６５をオフにするとともに、その弁係合部１７０が第１切換位置にある切換弁１４１の上面から離れてロック解除される。そして、切換弁１４１は、球誘導経路２２及び分岐部２３に流れる球Ｂの流圧によって第２切換位置に配置切換されるようになっている。
【００３２】
この実施の形態２のその他の構成は、実施の形態１と略同様に構成されるため、同一構成部分に対し、同一符号を付記してその説明は省略する。
したがって、この実施の形態２において、パチンコ機１の保守、点検時等の際、パチンコ機１内の球Ｂ、主として球タンク１３に溜められた球Ｂを機外に排出する球抜きを行う場合、まず、木枠２に対し前枠３が前側に開かれる。
この状態において、手動操作具１５１が、その手動操作部１５２によって、図６に向かって右側にスライド操作され、切換案内孔１８０の他端部に当接する第２操作位置に配置される。すると、図８に示すように、手動操作具１５１の第１係合部１５４がスイッチ６５の作動子６６に当接しながら、その作動子６６を右方に移動する。これによって、スイッチ６５がオフにされる。
【００３３】
また、手動操作具１５１の弁係合部１７０は、第１切換位置にある切換弁１４１の上面から離れてロック解除される。
すると、球誘導経路２２及び分岐部２３に流れる球Ｂは、その流圧によって切換弁４１を第２切換位置に向けて回動させながら、その切換弁４１を通過して球抜き経路３３に流れ、これによって球抜きが行われる。
【００３４】
球誘導経路２２及び分岐部２３に流れる球Ｂが全て球抜き経路３３に流れて球抜き完了すると、図９に示すように、切換弁１４１は、自重によって元の第１切換位置まで回動する。
この状態において、手動操作具１５１が、その手動操作部１５２によって、図９に向かって左側にスライド操作される。これによって、図６に示すように、手動操作具１５１が元の第１操作位置に配置される。手動操作具１５１のスライド動作によって第２係合部１５５がスイッチ６５の作動子６６に当接しながら、その作動子６６を左方に移動する。これによって、スイッチ６５がオンにされる。また、手動操作具１５１の弁係合部１７０は、第１切換位置にある切換弁１４１の上面に係合し、これによって切換弁１４１が第１切換位置にロックされる。
【００３５】
前記したように、パチンコ遊技に関係しない球抜き動作時には、手動操作具１５１によって、主制御装置９ａに対する電源用のスイッチ６５がオフにされ、切換弁４１が第２切換位置に回動可能とされる。
したがって、この実施の形態２においても、パチンコ遊技に関係しない球抜き動作時には、主制御装置９ａにおいて、電力が供給されて消費されることがないため、従来と異なり、球抜き動作時の消費電力を節減することができるとともに、球抜き用のソレノイドを用いる必要性を解消してコスト低減を図ることができる。
【００３６】
また、球抜き用のソレノイドのスイッチに対する球抜き用孔を前枠３の前面に開口して形成する必要性もないため、前枠３の前面が球抜き用孔によって見栄えが悪化する等の不具合も解消される。
また、この実施の形態２においては、手動操作具１５１が第１操作位置に配置され、その弁係合部１７０によって、切換弁１４１が第１切換位置にロックされるため、切換弁４１を第１切換位置にロックするための専用のロック部材を配設する必要性を解消することができる。
【００３７】
なお、この発明は、前記実施の形態１及び２に限定するものではない。
例えば、前記実施の形態１及び２において、切換弁４１又は１４１は、軸４０、又は１４０を中心とし、かつ自重によって第１切換位置に向けて回動可能に構成したが、例えば、手動操作手段による切換操作のみによって、切換弁４１又は１４１を第１・第２の両切換位置に配置切換することも可能である。
さらに、切換弁４１又は１４１を、バネ等の付勢手段やねじ等の締付手段によって、第１・第２の両切換位置に配置に保持するように構成することも可能である。
【００３８】
また、前記実施の形態１及び２において、手動操作手段としての手動操作部５２又は手動操作具１５１を手動操作することによって、主制御装置９ａに対する電源用のスイッチ６５が、オン、オフにされ、切換弁４１が、第１、第２の両切換位置に配置切換されるように構成したが、主制御装置９ａに対する電源用のスイッチ６５は必ずしも配設する必要はない。
例えば、手動操作手段としての手動操作部５２又は手動操作具１５１を、連動手段によってパチンコ機１の主電源スイッチ６０に連繋し、手動操作部５２又は手動操作具１５１を手動操作して、切換弁４１又は１４１を第１・第２の両切換位置に配置切換すると略同時に、主電源スイッチ６０をオン、オフにするように構成することも可能である。
【００３９】
また、前記実施の形態１及び２においては、賞球経路２４の途中に球払出装置２５が配設される場合を例示したが、これに限定するものではない。
例えば、賞球経路２４と球抜き経路３３との分岐部２３の上流側に球払出装置２５が配置される場合においても採用可能である。
【００４０】
【発明の効果】
以上述べたように、この発明によれば、パチンコ遊技に関係しない球抜き動作時には、少なくとも主制御装置において、電力が供給されて消費されることがないため、従来と異なり、球抜き動作時の消費電力を節減することができるとともに、球抜き用のソレノイドを用いる必要性を解消してコスト低減を図ることができる。
また、球抜き用のソレノイドのスイッチに対する球抜き用孔を遊技機の前面に開口して形成する必要性もないため、遊技機の前面が球抜き用孔によって見栄えが悪化する等の不具合も解消される。
【図面の簡単な説明】
【図１】この発明の実施の形態１のパチンコ機の球誘導経路、分岐部、切換弁、賞球経路及び球抜き経路の関係を示し、切換弁が第１切換位置に配置された状態を示す説明図である。
【図２】同じく図１のＩＩ−ＩＩ線に基づく断面図である。
【図３】同じく切換弁が第２切換位置に配置された状態を示す説明図である。
【図４】同じく第２切換位置の切換弁が自重によってスイッチの作動子に当接する位置まで回動した状態を示す説明図である。
【図５】同じく球経路構成体を破断して示すパチンコ機全体の背面図である。
【図６】この発明の実施の形態２のパチンコ機の球誘導経路、分岐部、切換弁、賞球経路及び球抜き経路の関係を示し、切換弁が第１切換位置に配置された状態を示す説明図である。
【図７】同じく図６のＶＩＩ−ＶＩＩ線に基づく断面図である。
【図８】同じく切換弁が第２切換位置に配置された状態を示す説明図である。
【図９】同じく第２切換位置の切換弁が自重によって第１切換位置まで回動した状態を示す説明図である。
【符号の説明】
１  パチンコ機（遊技機）
９ａ  主制御装置
２２  球誘導経路
２３  分岐部
２４  賞球経路
３３  球抜き経路
４１  切換弁
５２  手動操作部（手動操作手段）
５３  スイッチ係合部
１５１  手動操作具（手動操作手段）
１５２  手動操作部
１５３  スイッチ係合部
１７０  弁係合部
【図１】
0004337997.tif 000002
【図２】
0004337997.tif 000003
【図３】
0004337997.tif 000004
【図４】
0004337997.tif 000005
【図５】
0004337997.tif 000006
【図６】
0004337997.tif 000007
【図７】
0004337997.tif 000008
【図８】
0004337997.tif 000009
【図９】
0004337997.tif 000010